(57)【要約】【課題】磁気作用を人体全身の循環系の経路に及ぼすとともに磁石のＳ極とＮ極が交番する際に発生する振動（脈動）を伝播して循環系の磁気治療効果を大幅に向上することができる磁力伝播振動装置を提供する。【解決手段】Ｎ極、Ｓ極の交番磁界を創出するための複数の永久磁石を備えた非磁性回転板１と、非磁性回転板１の動力から構成し、動力は回転を発生させるものとし、非磁性体円板１中の均等放射角上に永久磁石１ａを固着し、固着した永久磁石１ａの上方位置に永久磁力を吸引される強磁性体棒４を付設し、非磁性体円板１を周回させることで固着した永久磁石１ａと強磁性体棒４との間に間欠的に吸引力を生じせしめ、強磁性体棒４を振動させる。【選択図】図２
2017192688.tif 000002
【特許請求の範囲】
【請求項１】
Ｎ極、Ｓ極の交番磁界を創出するための複数の永久磁石を備えた非磁性回転板と、当該非磁性回転板の動力とから構成し、動力は回転を発生させるものとし、前記非磁性体円板中の均等放射角上に永久磁石を固着し、固着した永久磁石の上方位置に永久磁力を吸引される強磁性体棒を付設し、前記非磁性体円板を周回させることで固着した永久磁石と強磁性体棒との間に間欠的に吸引力を生じせしめ、強磁性体棒を振動させることを特徴とする磁力伝播振動装置。
【請求項２】
磁力伝播で受得する振動を強磁性体棒の突端部に伝導させ、そこで得た振動を振動伝播路を介して目的部位まで伝播させることを特徴とする請求項１記載の磁力伝播振動装置。
【請求項３】
振動伝播路が、その一端が強磁性体棒に連結されると共に、他端が開放された並行する一対の金属製ワイヤー又は他端が閉じたループ状の金属製ワイヤーであることを特徴とする請求項１又は請求項２記載の磁力伝播振動装置。
【発明の詳細な説明】
【技術分野】
【０００１】  本発明は、磁気を利用した健康器具に関し、とくに人体の循環系経路の血行を促進し、頭部、腰部、脚部等、人体全身の健康増進に資する交磁場式の磁力伝播振動装置に関するものである。
【背景技術】
【０００２】  従来から磁気が人体に及ぼす影響について、種々の報告がなされ、磁性体（永久磁石）の磁力線を利用して血行を促進し、細胞を賦活させ、肩こり、筋肉痛、筋肉疲労等を解消し、健康を増進するための磁気治療具が種々提案されている。例えば、円盤状あるいは粒状の永久磁石を粘着パッドや絆創膏等を使用して肩や腰、手足の患部に貼り付けるタイプのものや磁性体をチェーン状に加工したネックレスタイプのものがある。【０００３】  脊椎動物の循環系は血管系とリンパ系から成り、血管系には心臓から送られる血液が循環し、リンパ系には各部の器官からリンパ液が循環するが、高等動物であるヒトの場合には、特に血行の良し悪しが体調に密接にかかわり、血行が悪くなると、肩こり、のぼせ、疲労感などをともなうことが知られている。そして、それがある程度高じると日常の生活にも支障をきたすことになる。【０００４】  このような血行障害が原因とされる各種の症状に対しては、種々の治療方法が試みられているが、その一つとして磁気作用による治療方法の研究が成されており、その効果が次第に解明されつつある。【０００５】  従来、磁気作用による治療具としては、小粒状の永久磁石を粘着テープにより体表面に貼着するものが知られ、かつ一般にも使用されている。【０００６】  例えば、シート状のものとしては、複数の永久磁石を、隣り合う磁石の磁極が互いに異極となるようにして所定間隔置きに配置し、それらの表裏を一連のシリコンシートでコーティングして成るマルチマグネットが提案されている（特許文献１参照。）。また、身体に巻き掛けられるバンドに、永久磁石を収容した複数の磁石ケースをスライド自在に取り付けた磁気治療具（特許文献２参照。）。ネックレス状のものとしは、樹脂と着磁された複数の粒状の磁石と可撓性を有する長尺な磁性部からなり、複数の磁石を樹脂で覆われた状態で互いに離間した位置に配置した磁気治療具（特許文献３参照。）等が提案されている。【０００７】  ところで、従来の上記磁気治療手段のように、小粒の永久磁石を粘着テープで体表面に貼着するものにあっては、磁石を単独で使用しているので、磁石の体表面側の磁極と外側の磁極間に生じる磁場が血管系に磁気作用を及ぼすだけであって、血管系に対する磁場の範囲が狭く、磁気治療効果が甚だ狭小であるばかりでなく、条件次第では、血管中を流れる血液を血管壁に引き寄せるように磁気による吸引作用をして、かえって血行を妨げる場合のあることが指摘されている。【０００８】  そこで本発明者は、弾性的に拡開可能な装着バンドに、人体の循環系の経路に対応させると共に、互いに反発する同極同士を張り合わせた状態を一組とする磁石からなる複数の発磁部を所定間隔に配置した磁気治療具を先に提案している（特許文献４。）。この磁気治療具は、極性が同じ複数の永久磁石を互いに反発した状態で張合わせることで磁力線の放射距離が延び、人体内部の頸動脈や大動脈等の循環系の経路に効果的に磁力線が浸透到達し、血管内を流れる血液、リンパ系を流れるリンパ液に対して磁気作用を及ぼすことにより、血液等のイオン化を促進するとともに血液等の流れを良くし、磁気治療効果を一層向上せしめるようにしたものである。【０００９】  一��、交番磁場を作って人体に照射し、本来人体が持つ自然治癒力を高めて健康を増進し、病気治療中の場合は治療効果を高める電気磁気治療器等も提案されている（特許文献５参照。）。この電気磁気治療器は、電磁石に交流を流して得られる交番磁界を利用したもので、約５５０ガウスの交番磁力線が、人体の装着部位から深く浸透し、優れた治療効果を奏するとされている。
【先行技術文献】
【特許文献】
【００１０】
【特許文献１】特開２００１−３４６８９０号公報
【特許文献２】特開２００４−１４７８５９号公報
【特許文献３】特許第５１９２７４０号公報
【特許文献４】実用新案登録第３１９１４６９号公報
【特許文献５】実公平７−１０７６５号公報
【発明の概要】
【発明が解決しようとする課題】
【００１１】  しかしながら、上記いずれの磁気治療器も局部的な治療を目的としたものであり、全身の治療には不向きである。本発明は、従来の磁気治療器具における欠点や問題点に鑑み、複数の磁極間に生じる磁場の磁気作用を人体全身の循環系の経路に及ぼすとともに磁石のＳ極とＮ極が交番する際に発生する振動（脈動）を伝播して循環系の磁気治療効果を大幅に向上させ、もって、磁気治療効果を一層向上せしめることができる磁力伝播振動装置を提供することを目的とするものである。
【課題を解決するための手段】
【００１２】  この目的を達成するため、本発明の磁力伝播振動装置は、Ｎ極、Ｓ極の交番磁界を創出するための複数の永久磁石を備えた非磁性回転板と、当該非磁性回転板の動力から構成し、動力は回転を発生させるものとし、前記非磁性体円板中の均等放射角上に永久磁石を固着し、固着した永久磁石の上方位置に永久磁力を吸引される強磁性体棒を付設し、前記非磁性体円板を周回させることで固着した永久磁石と強磁性体棒との間に間欠的に吸引力を生じせしめ、強磁性体棒を振動させることを第１の特徴とする。また、磁力伝播で受得する振動を強磁性体棒の突端部に伝導させ、そこで得た振動を振動伝播路を介して目的部位まで伝播させることを第２の特徴とする。さらに、振動伝播路が、その一端が強磁性体棒に連結されると共に、他端が開放された並行する一対の金属製ワイヤー又は他端が閉じたループ状の金属製ワイヤーであることを第３の特徴とする。【００１３】  本発明に係る磁力伝播振動装置の動力、すなわち駆動エネルギーは、商用電源又は太陽光発電、水力発電、風力発電等の自然エネルギー利用電源を用いることができる。【００１４】  本発明で使用する磁性体は、好ましくは２００ミリテスラ（ｍＴ）程度のサマリウム・コバルト磁石又はネオジウム磁石とする。【００１５】  血液成分中には、プラスイオンとマイナスイオンに電離するものが含まれている。これが、血管中を流れるということは、電流が流れるのに等しい。ここに磁石によって磁場を加えると、「フレミングの左手の法則」によりローレンツ力が発生する。この力がイオンの流れを活発にし、血行を促進して肩凝りなどの症状をやわらげると考えられる。【００１６】  細胞液は細胞膜を挟んで、細胞外液と細胞内液に分けられる。細胞膜はリン脂質の二重層とタンパク質からなる生体膜で、内外の細胞液の電解質濃度の差が一定に保たれることにより、イオン化した溶質の輸送が行われている。この電解質濃度の変化は体液の表面張力や粘性、電気抵抗などの物理化学的な差となって現れ、人体の生理作用にも微妙な影響を与える。すなわち、血液は生命活動に必要な様々なイオンを含む電解質溶液の流れであり、それは微弱な電流とみなすことができる。
【発明の効果】
【００１７】  本発明の磁力伝播振動装置は、磁力線の放射距離が延びる。このため、人体内部の頸動脈や大動脈等の循環系の経路に効果的に磁力線が浸透到達し、血管内を流れる血液、リンパ系を流れるリンパ液に対して磁気作用を及ぼすことにより、血液等のイオン化を促進するとともに磁石のＳ極とＮ極が交番する際に発生する振動（脈動）を伝播して局部マッサージ効果を促し、血液等の流れを良くし、例えば、肩こり等の筋肉の凝りをほぐすといった磁気治療効果を一層向上せしめる。他にも下記の優れた効果がある。
（１）使用する電力は回転体の回動にのみ使用するものであり、電力消費量が少なくて済みランニングコストが小さくて済む。
（２）平盤状回転体に永久磁石を配置し、回転させるだけの簡単な構造なので、人体にも無害で、故障し難く、メンテナンスもし易い。
（３）脳梗塞、鬱病、認知症等の予防・改善、抜け毛や白髪の再生、耳鳴り、糖尿病の改善、関節痛やリウマチ等の疼痛の緩和。
【図面の簡単な説明】
【００１８】
【図１】本発明に係る磁力伝播振動装置の概要を模式的に示す斜視図である。
【図２】回転体内の永久磁石の配置例を示す（Ａ）は平面図、（Ｂ）及び（Ｃ）は振動伝播路であるワイヤーの連結方法を模式的に示す平面図である。
【図３】本発明に係る磁力伝播振動装置の具体的な実施例を示す斜視図である。
【発明を実施するための形態】
【００１９】  本発明では、強力な磁力を有する永久磁石を配置した平盤状回転体を高速回転させることによって、人の生活行動圏内（例えば、室内）の生活雰囲気中にＮ、Ｓの交互磁場を造り出すことができる。
【００２０】  永久磁石としては、例えば、ネオジウム系磁石、サマリウム系磁石などの表面２００ミリテスラ（ｍＴ）以上の永久磁石を使用するのが好ましい。永久磁石は数１００ｒｐｍ以上で回転させる。
【実施例】
【００２１】  図１は本発明に係る磁力伝播振動装置の概要を模式的に示す斜視図、図２（Ａ）は回転体内の永久磁石の配置例を示す平面図である。【００２２】  本発明の磁力伝播振動装置は、平盤状のアウミニウム等の非磁性体製の回転板１と、この回転板１に回転軸２ａを介して連結されたモータ２とから成り、回転板１の内部には、複数の永久磁石１ａが任意の間隔をおいて固着されている。【００２３】  永久磁石１ａは回転板１の円周に沿って等間隔に放射状に配置する。磁石１ａは、それぞれＮ極とＳ極とが交互に位置するように配置しても良いし、同極同士が隣接するように配置しても良い。配置する個数も任意である。回転板１は、モータ２に連結された回転軸２ａにより高速回転する。【００２４】  そして、この回転板１に固着した永久磁石１ａの直上かつ直角に位置するように一対の強電磁誘導体（金属棒）４が延出され、回転板１から発生する交番磁界及び波動（振動）を対象物（例えば人体）に対して直接伝達できることもできるようにされている。図２（Ｂ）では使用者の血管やリンパ管等の循環系の経路に対して一対の導線である金属製ワイヤー７を介して患部に接点８を接触させた状態で伝達する例を模式的に記している。また、図２（Ｃ）では、金属製ワイヤーの他端が閉じたループ状に配置し、そのループ内にＮ極、Ｓ極の交番磁界が発生するようにされている。【００２５】  すなわち、Ｎ極、Ｓ極の交番磁界を創出するための複数の永久磁石を備えた非磁性回転板１と、非磁性回転板１の動力から構成し、動力は回転を発生させるものとし、非磁性の円板１中の均等放射角上に永久磁石１ａを固着し、固着した永久磁石１ａの上方位置に永久磁力を吸引される強磁性体棒４を付設し、非磁性体円板１を周回させることで固着した永久磁石１ａと強磁性体棒４との間に間欠的に吸引力を生じせしめ、強磁性体棒４を振動させる。【００２６】  そして、人体の頚部であれば甲状軟骨近傍に位置する頸動脈、腰部や胸部であれば大動脈流管を流れる血液やリンパ管を流れるリンパ液などの体液に交磁場を付与するものである。そこで、接点８は、例えば各種大きさのリング径を有するものを用意して、頚、手首や上腕部、胸部、足首や大腿部等に嵌めることにより、患部の周りから磁力線が作用し、血行を促進することになる。更に、大きな環状のものとして腰や胴周りに巻き回してもよい。【００２７】  本発明装置によれば、磁力線の放射距離が延び磁束線を人体内部まで深く浸透させることができることが本発明者の研究の結果分かった。また、金属製ワイヤー７等の振動伝播路を介することで、遠方、例えば１００ｍの距離でも磁力振動を伝播することが可能であることが分かった。【００２８】  尚、永久磁石１ａは回転板１の円周に沿って等間隔に配置する。磁石１ａは、それぞれＮ極とＳ極とが交互に位置するように配置しても良いし、同極同士が隣接するように配置しても良い。配置する個数も任意である。回転体１は、モータ２に連結された回転軸２ａにより高速回転する。尚、本実施例においてモータ２の電源は商用電源３としたが、太陽光、水力、風力等の自然界のエネルギーを用いて電源とすることが有益なことは言うまでもない。【００２９】  図３は、本装置９をコンパクト化したもので、パンチングメタル板で作製した円筒状筺体５にモータ２と回転体１を収納し、スタンド６に傾動自在に取り付けた磁力伝播振動装置１０である。そして、この磁力伝播振動装置９の一対の電磁誘導体（強磁性体棒）４から振動伝播路７を介して例えば室内雰囲気中に交番磁界及び振動を付与する。
【符号の説明】
【００３０】１  回転体
１ａ永久磁石
２  モータ
２ａモータの回転軸
３  商用電源又は自然エネルギー利用電源
４  電磁誘導棒（強磁性体棒）
５  円筒状筺体
６  スタンド
７  金属製ワイヤー（振動伝播路）
８  接点
９  磁力伝播振動装置
【図１】
2017192688.tif 000003
【図２】
2017192688.tif 000004
【図３】
2017192688.tif 000005